(57)【要約】【課題】苗の陳列時において表示札の情報提示効果を発揮することができる表示札付き苗トレー及び苗トレー用の表示札を提供する。【解決手段】苗トレー１０は、苗ポット１１を収容するトレー本体２１と、トレー本体２１の上端に設けられたトレー外枠体２２とを有しており、トレー外枠体２２の外側面には表示札３０が貼付されている。表示札３０は、トレー外枠体２２の外側面に貼付されている固定板部３１と、固定板部３１からトレー外枠体２２とは遠ざかる側に向けて延びている延出板部３２と、延出板部３２の先端から斜め下方に延びている表示板部３３とを有している。表示板部３３において斜め上方を向いている表示面には苗１３に関する苗情報が表示されている。【選択図】図１
2012115230.tif 000002
【特許請求の範囲】
【請求項１】
苗が植えられた苗ポットを複数収容するとともに、前記苗に関する苗情報を表示する表示札がトレー外周面に取り付けられている表示札付き苗トレーであって、
前記表示札は、
薄板によって形成され、前記トレー外周面に沿って延びた状態で該トレー外周面に接着固定されている固定板部と、
前記薄板において前記固定板部となる部分に対して折り曲げられることにより形成され、前記固定板部よりも幅寸法が小さく、前記固定板部の上部から前記トレー外周面とは遠ざかる側に向けて延びている延出板部と、
前記薄板において前記延出板部となる部分に対して折り曲げられることにより形成され、前記延出板部よりも幅寸法が大きく、前記延出板部における前記固定板部とは反対側の端部から前記トレー外周面とは遠ざかる側の斜め下方に向けて延び、斜め上方を向く板面に前記苗情報が表示されている表示板部と、
を備えていることを特徴とする表示札付き苗トレー。
【請求項２】
前記固定板部は、前記表示板部が前記トレー外周面よりも上方に突出しない高さ位置にて前記トレー外周面に固定されていることを特徴とする請求項１に記載の表示札付き苗トレー。
【請求項３】
前記薄板の上端から下方へ所定長さの切り込みが入れられており、且つ切り込み下端から折り曲げられることにより、前記延出板部が形成されていることを特徴とする請求項１又は２に記載の表示札付き苗トレー。
【請求項４】
苗が植えられた苗ポットを複数収容する苗トレーのトレー外周面に取り付けられ、前記苗に関する苗情報を表示する苗トレー用の表示札であって、
薄板によって形成され、一方の板面に前記トレー外周面に接着するための接着層が設けられている固定板部と、
前記薄板において前記固定板部となる部分に対して折り曲げられることにより形成され、前記固定板部よりも幅寸法が小さく、前記固定板部の上端から前記接着層とは反対側へ遠ざかるように延びている延出板部と、
前記薄板において前記延出板部となる部分に対して折り曲げられることにより形成され、前記延出板部よりも幅寸法が大きく、前記延出板部における前記固定板部とは反対側の端部から前記トレー外周面とは遠ざかる側に向けて斜め下方に延び、前記延出板部とは反対側の板面に前記苗情報が表示されている表示板部と、
を備えていることを特徴とする苗トレー用の表示札。
【発明の詳細な説明】
【技術分野】
【０００１】
本発明は、表示札付き苗トレー及び苗トレー用の表示札に関するものである。
【背景技術】
【０００２】
苗が植えられた複数の苗ポットを商品として店舗等に陳列する場合、それら苗ポットの運搬に用いた苗トレーごと苗ポットを店内等に並べることにより、陳列作業の効率化を図ることができる。この場合、苗の種類等の苗情報を示す表示札が苗ポットではなく苗トレーに取り付けられることがある。例えば特許文献１によれば、板状の表示シートが鉛直方向に起立した状態となるように苗トレーの内部に上方から差し入れられ、表示シートにおいて苗トレーより上方に突出した部分に苗情報が表示されている。具体的には、苗トレーは内部を複数に仕切る仕切部を有しており、表示シートには仕切部と係止する係止部が形成され、その係止構造により表示シートが起立状態で保持されるようになっている。
【先行技術文献】
【特許文献】
【０００３】
【特許文献１】特開２００２−２０９４５０号公報
【発明の概要】
【発明が解決しようとする課題】
【０００４】
しかしながら、表示シートが鉛直方向に起立した状態では苗情報の表示面が水平方向を向いているため、店舗において立ち姿勢をとっている消費者の目の高さよりも低い位置（例えば床面）に苗トレーが置かれていると、消費者の視線に対して表示シートの向きが合っておらず、消費者にとって表示シートの苗情報は見にくいものとなる。この場合、消費者が表示シートの苗情報を視認するためにはかがんだり座ったりする面倒な動作が必要になる。これでは表示シートが有する情報提示効果を発揮させることができない。
【０００５】
本発明は、苗の陳列時において表示札の情報提示効果を発揮することができる表示札付き苗トレー及び苗トレー用の表示札を提供することを主たる目的とする。
【課題を解決するための手段】
【０００６】
上記課題を解決するために、第１の発明の表示札付き苗トレーは、苗が植えられた苗ポットを複数収容するとともに、前記苗に関する苗情報を表示する表示札がトレー外周面に取り付けられている表示札付き苗トレーであって、前記表示札は、薄板によって形成され、前記トレー外周面に沿って延びた状態で該トレー外周面に接着固定されている固定板部と、前記薄板において前記固定板部となる部分に対して折り曲げられることにより形成され、前記固定板部よりも幅寸法が小さく、前記固定板部の上部から前記トレー外周面とは遠ざかる側に向けて延びている延出板部と、前記薄板において前記延出板部となる部分に対して折り曲げられることにより形成され、前記延出板部よりも幅寸法が大きく、前記延出板部における前記固定板部とは反対側の端部から前記トレー外周面とは遠ざかる側の斜め下方に向けて延び、斜め上方を向く板面に前記苗情報が表示されている表示板部と、を備えていることを特徴とする。
【０００７】
第１の発明によれば、表示札が粘着層によりトレー側面部の外側面に貼付されている構成において、表示札の表示面が斜め上方を向いている。ここで、表示札は薄板が折り曲げられることで形成されているため、延出板部に対する表示板部の折り曲げ角度を変えるという容易な作業により表示面の向きを変えることにより、立ち姿勢で苗トレーを見下ろしている消費者の視線を想定してその視線に表示面の向きを合わせることができる。この場合、消費者はかがんだり座ったりする面倒な動作をしなくても苗情報を容易に視認することができる。この結果、苗の陳列時において表示札の情報提示効果を発揮することができる。
【０００８】
なお、固定板部の幅寸法が延出板部の幅寸法以上とされているため、粘着層による固定板部とトレー側面部との接着面積を極力大きくすることができる。これにより、表示札が固定板部により固定されている構成、つまり表示札が苗トレーに対して片持ち支持されている構成において、表示札がトレー側面部から剥がれ落ちてしまうことを抑制できる。
【０００９】
また、延出板部の幅寸法が表示板部の幅寸法より大きくされているため、薄板の折り曲げ作業に際して作業者が延出板部と表示板部との境界を視認することが容易となり、ひいては、折り曲げ作業や表示板部の折り曲げ角度の調整作業を容易化できる。さらに、この場合、表示板部に対して延出板部が細くなっているため、風等により表示板部が揺れやすくなり、表示板部の揺れにより消費者の注意をひいて表示札の情報提示効果を高めることができる。しかも、苗は店舗において屋外に陳列されることが多いため、表示板部を風で揺れやすくした構成は表示札の情報提示効果を高める上で特に効果的である。
【００１０】
片持ち支持されている表示札においては、延出板部を利用して表示板部がトレー外周面から遠ざけられている。つまり、表示板部がトレー外周面よりも消費者側にせり出した状態とされている。このため、複数の苗トレーが上下に並べて陳列されていても、表示板部が上方の苗トレーよりも消費者側に突出した状態とすることが容易であるため、苗情報が上方の苗トレーの下に隠れて見えないということを回避できる。すなわち、複数の苗トレーが多段積みされている場合に、表示面の視認性が低下することを回避できる。
【００１１】
第２の発明では、前記固定板部は、前記表示板部が前記トレー外周面よりも上方に突出しない高さ位置にて前記トレー外周面に固定されている。
【００１２】
表示札がトレー側面部の外側面に取り付けられている場合、表示板部がトレー側面部よりも上方に突出していると、消費者が斜め上方から苗トレーを見下ろした場合に苗が表示板部の上部の背後に隠れて見えないことがある。この点、第３の発明によれば、表示板部がトレー側面部よりも上方に突出していないため、消費者が苗トレーを真上から見下ろした場合はもちろんのこと斜め上方から見下ろした場合でも、苗が表示板部の背後に隠れて見えないということを回避できる。
【００１３】
なお、前記固定板部は、該固定板部が前記トレー側面部よりも上方に突出しない高さ位置にて前記トレー側面部の外側面に貼付されていることが好ましい。この構成によれば、苗が表示札における表示板部、延出板部及び固定板部のいずれの背後にも隠れないため、苗が表示札の背後に隠れて見えないということを確実に回避できる。
【００１４】
第３の発明では、前記薄板の上端から下方へ所定長さの切り込みが入れられており、且つ切り込み下端から折り曲げられることにより、前記延出板部が形成されている。
【００１５】
作業者が表示札を苗トレーに貼り付けた後、その状態で表示板部や延出板部を触る作業を行う場合、その作業中に表示札が苗トレーから剥離してしまうことが懸念される。そこで、作業者が延出板部の下側に手を差し入れて固定板部を苗トレーに押し付けつつ前記作業を行うことにより固定板部の剥離を抑制できる。しかしながら、この方法では、苗トレーが床面等の低い位置に置かれていると、作業者は下方に伸ばした両手を交差させるような状態となり、作業の難易度が高くなってしまう。
【００１６】
これに対して、第３の発明によれば、薄板において折り曲げられた部分は延出板部とされており、切り込みを延出板部との境目として固定板部に対して折り曲げられていない部分は固定板部から切り込み下端よりも上方へ延びている。ここで、その延びている部分を上方突出部とすれば、延出板部の上方において突出部を苗トレーに押し付けることにより固定板部の剥離を抑制できる。しかも、作業者は延出板部の下方に手を差し入れる必要がないため、苗トレーが低い位置に置かれていても作業の難易度が高くなることを回避できる。
【００１７】
第４の発明の苗トレー用の表示札は、苗が植えられた苗ポットを複数収容する苗トレーのトレー外周面に取り付けられ、前記苗に関する苗情報を表示する苗トレー用の表示札であって、薄板によって形成され、一方の板面に前記トレー外周面に接着するための接着層が設けられている固定板部と、前記薄板において前記固定板部となる部分に対して折り曲げられることにより形成され、前記固定板部よりも幅寸法が小さく、前記固定板部の上端から前記接着層とは反対側へ遠ざかるように延びている延出板部と、前記薄板において前記延出板部となる部分に対して折り曲げられることにより形成され、前記延出板部よりも幅寸法が大きく、前記延出板部における前記固定板部とは反対側の端部から前記トレー外周面とは遠ざかる側に向けて斜め下方に延び、前記延出板部とは反対側の板面に前記苗情報が表示されている表示板部と、を備えていることを特徴とする。
【００１８】
第４の発明によれば、苗トレー用の表示札が粘着層によりトレー側面部の外側面に貼付された場合、表示板部において苗情報の表示面が斜め上方を向くことになる。ここで、表示札は薄板が折り曲げられることで形成されているため、延出板部に対しする表示札の折曲角度を変えるという容易な作業により表示面の向きを変えることにより、立ち姿勢で苗トレーを見下ろしている消費者の視線を想定してその視線に表示面の向きを合わせることができる。この場合、消費者はかがんだり座ったりする面倒な動作をしなくても苗情報を容易に視認することができる。この結果、苗の陳列時において表示札の情報提示効果を発揮することができる。
【図面の簡単な説明】
【００１９】
【図１】本実施形態における表示札付きの苗トレーの構成を示す斜視図。
【図２】表示札付きの苗トレーの構成を示す断面図。
【図３】折り曲げられていない状態の表示札の構成を示す平面図。
【図４】苗トレーの陳列方法について説明するための説明図。
【図５】折り曲げられていない状態の別の表示札の構成を示す平面図。
【図６】折り曲げられていない状態の別の表示札の構成を示す平面図。
【発明を実施するための形態】
【００２０】
以下、本発明を具体化した一実施形態について図面を参照しつつ説明する。図１は表示札３０付きの苗トレー１０の構成を示す斜視図、図２は表示札３０付きの苗トレー１０の構成を示す断面図である。なお、図２においては苗ポット１１、土１２及び苗１３の図示を省略している。
【００２１】
図１に示すように、苗トレー１０には複数の苗ポット１１が収容されている。苗ポット１１は上方が開放された容器であり、内部には栽培用の土１２が充填され、その土１２には苗１３が植えられている。苗トレー１０は、苗ポット１１を収容するトレー本体２１と、トレー本体２１の上端に設けられたトレー外枠体２２とを有している。トレー本体２１は、側枠部２３と底枠部２４とを有しており、それら側枠部２３及び底枠部２４により形成された収容スペースは上方に向けて開放されている。トレー本体２１には、収容スペースを複数に仕切る仕切部２５が設けられている。
【００２２】
トレー外枠体２２は、トレー本体２１の側枠部２３の周縁部に沿って延びており、トレー外枠体２２は側枠部２３よりもトレー外方へ突出している。具体的には、図２に示すように、トレー外枠体２２は、側枠部２３の上端から水平方向に延びる板状のフランジ２７と、側枠部２３とは反対側のフランジ２７の端部から下方に延びる板状のリブ２８とを有している。
【００２３】
なお、苗トレー１０においてトレー側面部は、トレー本体２１の側枠部２３とトレー外枠体２２のリブ２８とにより構成されている。
【００２４】
図１、図２に示すように、苗トレー１０には、苗１３の種類等を苗情報として表示する表示札３０が取り付けられている。表示札３０は、薄板状の合成樹脂板が折り曲げられることにより形成されている。表示札３０は、固定板部３１と延出板部３２と表示板部３３とを有しており、固定板部３１がトレー外枠体２２の外側面に貼付された状態で片持ち支持されている。固定板部３１、延出板部３２及び表示板部３３はそれぞれ略長方形上に形成されており、トレー外枠体２２の外側面における固定板部３１が貼付されている部分と平行に延びている。なお、トレー外枠体２２の外側面がトレー外周面に相当する。
【００２５】
固定板部３１はトレー外枠体２２のリブ２８の外側面に沿って延びており、接着層としての粘着層３６によりリブ２８に貼り付け固定されている。固定板部３１の長辺は略水平方向に延びており、短辺はリブ２８に沿って上下方向に延びている。固定板部３１の短辺の長さ寸法はトレー本体２１の高さ寸法より小さくされており、固定板部３１はトレー外枠体２２よりも上方に突出しない高さ位置に配置されている。この場合、固定板部３１の上端はリブ２８の上端とほぼ同じ高さレベルにあり、固定板部３１の下端はリブ２８の下端よりも下方へ突出している。粘着層３６は、エマルジョン系接着剤やホットメルト接着剤などの接着剤が固定板部３１に塗布されることにより形成されており、固定板部３１とリブ２８とを接着している。
【００２６】
延出板部３２は、合成樹脂板において固定板部３１に対して折り曲げられた部分により形成されており、固定板部３１の上端を基端として苗トレー１０から遠ざかる側に向けて延びている。延出板部３２は略水平方向に延びており、長辺は固定板部３１の長辺と平行に延びている。延出板部３２及び固定板部３１の長手方向において、延出板部３２の幅寸法Ｗ２は固定板部３１の幅寸法Ｗ１より小さくされており（図３参照）、延出板部３２は固定板部３１のほぼ中央に配置されている。
【００２７】
表示板部３３は、合成樹脂板において延出板部３２に対して折り曲げられた部分により形成されており、延出板部３２の先端（固定板部３１とは反対側の端部）を基端として苗トレー１０から遠ざかる側の斜め下方に向けて延びている。表示板部３３の長辺は延出板部３２の長辺と平行に延びている。表示板部３３及び延出板部３２の長手方向において、表示板部３３の幅寸法Ｗ３は延出板部３２の幅寸法Ｗ２より大きくされており（図３参照）、延出板部３２は表示板部３３のほぼ中央に配置されている。延出板部３２に対する表示板部３３の角度は、表示板部３３の先端（延出板部３２とは反対側の端部）が苗トレー１０の下端より上方にある大きさとされている。
【００２８】
表示板部３３においては表示面３４に苗情報が表示されており、表示面３４は固定板部３１とは反対側の板面とされ、斜め上方を向いている。なお、苗情報には、苗１３の成長後の写真や絵、名称、販売価格などが含まれている。また、苗情報は表示板部３３における表示面３４とは反対側の板面に表示されていてもよい。
【００２９】
表示札３０において、固定板部３１の上端には延出板部３２よりも上方に突出している上方突出部としての突出片３７が設けられている。突出片３７は固定板部３１から連続して延びており、延出板部３２とは切り離された状態となっている。この場合、合成樹脂板において延出板部３２が固定板部３１に対して折り曲げられている構成において、突出片３７は固定板部３１に対して折り曲げられていない。突出片３７は、延出板部３２の幅方向において延出板部３２の両側方に配置されており、それぞれトレー外枠体２２のリブ２８の外側面に重なった状態でそのリブ２８に沿って延びている。なお、突出片３７には粘着層３６が設けられておらず、突出片３７はリブ２８に貼付されてはいない。
【００３０】
ここで、表示札３０の製作方法について図３を参照しつつ説明する。図３は、折り曲げられていない状態の表示札３０の構成を示す図である。図３においては、（ａ）に折り曲げられていない状態の表示札３０の平面図を示し、（ｂ）にその側面図を示す。
【００３１】
図３（ａ），（ｂ）において、折り曲げられていない状態の表示札３０は平坦状であって表裏が同一形状の薄板となっている。表示札３０には、延出板部３２と突出片３７とを切り離す切り込み４５が設けられている。切り込み４５は延出板部３２の両側方にそれぞれ設けられており、表示札３０を形成する薄板において上端から下方へ向けて互いに平行に延び、所定長さを有している。切り込み４５は、突出片３７と延出板部３２との境界に沿って突出片３７の先端（固定板部３１とは反対側の端部）と基端（固定板部３１側の端部）との間で延びており、延出板部３２の両側方にそれぞれ配置されている。切り込み４５における固定板部３１側の端部には、円形状の切り込み孔４６が形成されており、切り込み孔４６の円周の一部を介して切り込み孔４６の内周側に切り込み４５が通じている。
【００３２】
表示札３０の粘着層３６は、固定板部３１において表示板部３３の表示面と同じ側の板面に設けられており、粘着層３６には離型紙５５が貼り付けられている。粘着層３６は固定板部３１の幅方向に沿って延びており、固定板部３１の幅寸法とほぼ同じ長さ寸法とされている。離型紙５５は粘着層３６とほぼ同じ大きさ及び形状とされており、粘着層３６における固定板部３１とは反対側の面に対して剥離可能に接着されている。この場合、粘着層３６の粘着力がごみや埃等の付着により低下することを離型紙５５により回避できる。
【００３３】
表示札３０においては、固定板部３１に対して延出板部３２が第１折曲線５１で折り曲げられるとともに、延出板部３２に対して表示板部３３が第２折曲線５２で折り曲げられることにより形成される。ここでは、固定板部３１と延出板部３２との境界線が第１折曲線５１とされており、表示板部３３と延出板部３２との境界線が第２折曲線５２とされている。この場合、切り込み４５を延出板部３２との境目として固定板部３１に対して折り曲げられていない部分が突出片３７とされている。
【００３４】
ここで、切り込み孔４６は第１折曲線５１の両端にそれぞれ配置されている。このため、固定板部３１に対して延出板部３２が折り曲げられた状態において、その折り曲げ角度が大きくするための荷重や延出板部３２に固定板部３１から離れる方向への荷重が加えられた場合、その荷重による応力は切り込み孔４６の内周面に沿って分散される。例えば、第１折曲線５１の端部に切り込み孔４６が設けられていない場合、前記荷重による応力は切り込み４５と第１折曲線５１との交点に集中し、その応力により表示札３０が切り込み４５の先端から固定板部３１が破断してしまうことが懸念される。これに対して、本実施形態では、切り込み孔４６により応力を分散することにより表示札３０が破断することを抑制できる。
【００３５】
なお、表示板部３３の表裏両板面にはもともと苗情報などが表示されておらず、その無地の板面に対して例えば印刷処理が施されることで図３に示すような花の絵といった苗情報などが表示される。同様に、固定板部３１にはもともと粘着層３６及び離型紙５５は設けられておらず、固定板部３１の板面に両面粘着テープが貼付されることで粘着層３６及び離型紙５５が取り付けられる。また、図３において折曲線５１，５２は仮想線であり、表示板部３３に表示されているものではない。さらに、粘着層３６及び離型紙５５が図では表現できないほど薄いものであるため、図３においては、粘着層３６及び離型紙５５の存在をわかりやすくするためにそれら粘着層３６及び離型紙５５の厚みを表示札３０に比べて大きく図示している。
【００３６】
次に、商品として陳列されている苗トレー１０について図４を参照しつつ説明する。図４は、苗トレー１０の陳列方法の例について説明するための説明図である。
【００３７】
図４に示すように、苗トレー１０は店舗６１において商品陳列棚６２に陳列されている。商品陳列棚６２は店舗通路６３に沿って床面６４上に設置されており、複数の棚部６５を有している。苗トレー１０は、表示札３０の表示面を店舗通路６３側に向けて棚部６５上に載置されている。ここで、表示札３０は苗トレー１０より上方及び下方のいずれにも突出していないため、表示札３０が棚部６５に接触するなど苗トレー１０の陳列の支障となることがない。
【００３８】
商品陳列棚６２は、最上段の棚部６５に載置された苗トレー１０が店舗通路６３で立ち姿勢をとっている消費者の目の高さより低い位置となるように構成されており、各棚部６５において苗トレー１０の表示札３０は表示面３４が店舗通路６３側の斜め上方を向いた状態とされている。この場合、見下ろしている消費者の視線と表示札３０の表示面３４の向きとが一致するように、表示札３０において延出板部３２に対する表示板部３３の折り曲げ角度が設定されている。ここで、表示札３０に対する消費者の視線の角度は棚部６５の高さ位置によって異なるため、棚部６５ごとに表示板部３３の折り曲げ角度が異なる大きさとされている。これにより、消費者はいずれの段の棚部６５についてもかがんだり座ったりせずに表示札３０の表示面３４の苗情報を視認することができる。
【００３９】
表示板部３３の折り曲げ角度を調整する作業が作業者により行われる場合、作業者は下方に向けて手を伸ばし、片手で延出板部３２の上側から突出片３７をトレー外枠体２２に押し付けつつ、もう片方の手で延出板部３２に対する表示板部３３の折り曲げ角度を調整することにより、作業中に固定板部３１がトレー外枠体２２から剥離してしまうことを回避できる。ここで、例えば表示札３０に突出片３７が設けられていないと、作業者は延出板部３２の下側に手を差し入れた状態で固定板部３１をトレー外枠体２２に押し付けつつ作業を行うことになる。この場合、作業者は下方に延ばした両手を交差させるようにして作業を行わなければならなくなり、作業の難易度が高くなってしまう。これに対して、表示札３０に突出片３７が設けられている場合、作業の容易化を図ることができる。
【００４０】
また、商品陳列棚６２において最上段の棚部６５については、消費者は苗トレー１０内の苗１３と表示札３０の表示面３４とを同時に視認することができる。この場合、表示札３０がトレー外枠体２２より上方に突出しないようにそのトレー外枠体２２の外側面に貼付されているため、表示札３０の背後に隠れて苗１３が見えないといった不都合を回避できる。これは、下段の棚部６５に陳列された苗トレー１０や床面６４上に陳列された苗トレー１０についても同様である。
【００４１】
以上詳述した本実施形態によれば、以下の優れた効果が得られる。
【００４２】
苗情報を表示する表示札３０が苗トレー１０のトレー外枠体２２の外側面に貼付されている構成において、表示板部３３の表示面３４が斜め上方を向いている。この場合、苗トレー１０が店舗６１の床面６４や商品陳列棚６２などに陳列されることにより立ち姿勢の消費者の目の高さよりも低い位置にあっても、消費者の視線を想定してその視線に表示面３４の向きを合わせることが可能となる。このため、消費者はかがんだり座ったりする面倒な動作をしなくても苗情報を容易に視認することができる。したがって、苗トレー１０を購入しようとしている消費者だけでなく苗トレー１０の陳列場所を通りかかっただけの消費者などより多くの消費者に苗情報を視認させることができる。以上の結果、陳列されている苗１３について表示札３０の情報提示効果を好適に発揮することができる。
【００４３】
表示札３０は合成樹脂板が折り曲げ加工されることで形成されているため、延出板部３２に対する表示板部３３の折り曲げ角度を変えるという容易な作業により表示板部３３の表示面３４の向きを調整することができる。このため、例えば床面６４や商品陳列棚６２において複数の苗トレー１０が陳列されている場合に、苗トレー１０ごとにそれぞれの陳列位置に合わせて表示札３０の表示面３４の向きを変える作業の負担を低減することができる。
【００４４】
表示札３０がトレー外枠体２２の外側面における店舗通路６３側の面に貼付されている構成においては、表示板部３３がトレー外枠体２２よりも上方に突出していると、消費者が斜め上方から苗トレー１０を見下ろした場合に苗１３が表示板部３３の上部の背後に隠れて見えないことがある。これに対して、本実施形態では表示板部３３がトレー外枠体２２よりも上方に突出していないため、消費者が苗トレー１０を真上から見下ろした場合はもちろんのこと斜め上方から見下ろした場合でも、苗１３が表示板部３３の背後に隠れて見えないという不都合を回避できる。
【００４５】
表示札３０が苗トレー１０に対して片持ち支持されている構成において、延出板部３２は表示板部３３より幅寸法が小さくされている。このため、表示板部３３に対して延出板部３２を極力細くして目立たなくすることができる。また、この場合、延出板部３２を極力細くすることができるため、風等により表示板部３３が揺れやすい構成を実現できる。この構成では、表示板部３３の揺れにより消費者の注意を引いて表示面３４の苗情報を視認させやすくできるため、表示札３０の情報提示効果を高めることができる。しかも、苗１３は店舗６１において屋外に陳列されることが多いと考えられるため、表示板部３３を風で揺れやすくした構成は表示札３０の情報提示効果を高める上で特に効果的である。
【００４６】
片持ち支持されている表示札３０においては、延出板部３２を利用して表示板部３３がトレー外周面から遠ざけられている。つまり、表示板部３３がトレー外枠体２２の外側面よりも店舗通路６３側（消費者側）にせり出した状態とされている。このため、複数の苗トレー１０が上下に重ねられた状態で陳列されていても、表示板部３３が上方の苗よりも店舗通路６３側に突出した状態とすることが容易であるため、表示板部３３の表示面３４が上方の苗トレー１０の下に隠れて見えないということを回避できる。すなわち、複数の苗トレー１０が多段積みされている場合に、表示面３４の視認性が低下することを回避できる。
【００４７】
表示札３０において固定板部３１は延出板部３２よりも幅寸法が大きくされている。この場合、固定板部３１においてトレー外枠体２２との接着面積を極力大きくすることにより、固定板部３１をトレー外枠体２２から剥がれにくくすることができる。
【００４８】
（他の実施形態）
本発明は上記実施形態の記載内容に限定されず、例えば次のように実施してもよい。
【００４９】
（１）表示札３０は、固定板部３１がトレー外枠体２２よりも上方に突出する高さ位置にてトレー外枠体２２に貼付されていてもよい。例えば固定板部３１の突出片３７がトレー外枠体２２よりも上方に突出している構成とする。
【００５０】
（２）表示板部３３において固定板部３１は延出板部３２より上方に突出していなくてもよい。例えば固定板部３１が突出片３７を有していない構成とする。この構成によれば、固定板部３１が突出片３７を有している構成に比べて、表示札３０がトレー外枠体２２より上方に突出しない範囲で表示板部３３の上端が極力高い位置となるように表示札３０をトレー外枠体２２に貼付することができる。したがって、表示板部３３が苗トレー１０より下方に突出しない範囲において、表示板部３３を極力大きくすることや、延出板部３２に対する表示板部３３の折り曲げ角度を大きくすることを実現できる。
【００５１】
（３）表示札３０は、表示板部３３が苗トレー１０よりも下方に突出する高さ位置にてトレー外枠体２２に貼付されていてもよい。
【００５２】
（４）表示札３０において固定板部３１、延出板部３２及び表示板部３３はそれぞれ略長方形状でなくてもよい。例えば表示板部３３が円形状とされている構成とする。また、表示札３０は左右非対称な形状とされていてもよい。
【００５３】
（５）表示札３０の固定板部３１には粘着層３６の設置位置をガイドするガイド部が設けられていてもよい。例えば図５（ａ），（ｂ）に示すように、固定板部３１の長手方向における両端に側方へ突出した一対の突部７１がそれぞれ設けられている構成とする。この構成では一対の突部７１がガイド部に相当している。一対の突部７１は、固定板部３１の端部には固定板部３１の側方に向けて開放された凹部を形成している。一対の突部７１の離間距離（凹部の底面の幅寸法）は粘着層３６及び離型紙５５の幅寸法とほぼ同じとされており、粘着層３６及び離型紙５５は固定板部３１の両端の各突部７１同士を架け渡すように設けられている。
【００５４】
ここで、固定板部３１にはもともと粘着層３６及び離型紙５５が設けられておらず、両面粘着テープを貼付することで粘着層３６及び離型紙５５が取り付けられる。両面粘着テープの貼付作業は、固定板部３１の一端の各突部７１から他端の各突部７１に向けて両面粘着テープを伸ばしながら貼付し、貼付した両面粘着テープを他端の各突部７１の間で切断するという手順で行われる。この場合、固定板部３１の両端において一対の突部７１の間に両面粘着テープを納めることで両面粘着テープの貼付位置がずれることを抑制でき、一対の突部７１の間において固定板部３１の端部に沿って両面粘着テープを切断することで両面粘着テープの切断位置がずれることを抑制できる。つまり、両面粘着テープの貼付及び切断に際しては、両面粘着テープの貼付位置及び切断位置が一対の突部７１によりガイドされるため、それら貼付作業及び切断作業を容易化することができる。
【００５５】
表示札３０は、平坦状の薄板が折り曲げ加工されて形成されている。薄板はカットして成形されており、表裏が同一形状となっている。ちなみに、図５は、折り曲げられていない状態の表示札３０を示す図である。
【００５６】
なお、図５の表示札３０は、突出片３７に代えて一対の突部７１が設けられていることだけが図３の表示札３０と異なるものであり、各板部３１〜３３の大きさ及び形状は図３の表示札３０と同じとされている。粘着層３６及び離型紙５５の厚みを表示札３０に比べて大きく図示していることは図３と同様である。
【００５７】
また、表示札３０の各板部３１〜３３の大きさ及び形状を変更してもよい。例えば図６（ａ），（ｂ）に示すように、表示板部３３が固定板部３１及び延出板部３２に対して相対的に大きくされた構成とする。この構成では、図５の表示札３０に比べて、厚みがほぼ同じとされ、固定板部３１及び延出板部３２の幅寸法が大きくされ、さらに表示板部３３の縦寸法及び幅寸法が大きくされている。ただし、表示札３０、粘着層３６及び離型紙５５は図では表現できないほど薄いものであるため、図６（ｂ）においては、表示札３０、粘着層３６及び離型紙５５の厚みを示す線が重ならないように、それら表示札３０、粘着層３６及び離型紙５５の厚みを実際より大きく図示している。また、固定板部３１にはもともと粘着層３６及び離型紙５５は設けられていない。
【００５８】
（６）表示札３０が取り付けられる苗トレー１０はトレー外枠体２２を有していなくてもよい。この場合、表示札３０はトレー側面部としてのトレー本体２１の外側面に貼付されていればよい。要は、苗トレー１０はトレー側面部の外側面に表示札３０を貼付可能な構成であればよく、表示札３０を貼付するための専用トレーでなくてもよい。
【符号の説明】
【００５９】
１０…苗トレー、１１…苗ポット、１３…苗、２２…トレー側面部を構成するトレー外枠体、３０…表示札、３１…固定板部、３２…延出板部、３３…表示板部、３４…表示面、３６…接着層としての粘着層、３７…上方突出部としての突出片。
【図１】
2012115230.tif 000003
【図２】
2012115230.tif 000004
【図３】
2012115230.tif 000005
【図４】
2012115230.tif 000006
【図５】
2012115230.tif 000007
【図６】
2012115230.tif 000008